(57)【要約】【課題】成形ドラムの外周面上で帯状部材の長手方向両端部どうしを、ずれを抑制して設定どおりに接合することができる帯状部材の接合方法および装置を提供する。【解決手段】搬送コンベヤ２に載置されている帯状部材１２の先端部１２ａの上面を、吸引手段５により吸引保持した状態で成形ドラム１１の外周面上の所定位置に設置して、吸引保持している位置よりも先端側の上面を先端側押圧部６により押圧して先端部１２ａを所定位置に固定し、吸引保持を解除した後に成形ドラム１１を回転させて帯状部材１２を成形ドラム１１の外周面上に巻き付けて、その後端部１２ｂの上面を吸引手段５により吸引保持した状態で後端部１２ｂを先端部１２ａに当接させて、この帯状部材１２の吸引保持している位置よりも後端側の上面を後端側押圧部７により押圧して後端部１２ｂを先端部１２ａに押圧して接合する。【選択図】図６
2017213702.tif 000002
【特許請求の範囲】
【請求項１】
搬送コンベヤに載置されている帯状部材を成形ドラムに向かって搬送し、この成形ドラムの外周面上に前記帯状部材を巻き付けて、その長手方向両端部どうしを接合する帯状部材の接合方法において、
前記搬送コンベヤ載置されている前記帯状部材の先端部の上面を吸引することにより保持し、この吸引保持した状態で前記先端部を前記成形ドラムの外周面上の所定位置に設置して、この帯状部材の吸引保持している位置よりも先端側の上面を押圧することにより前記先端部を前記所定位置に固定し、吸引保持を解除した後に前記成形ドラムを回転させることにより前記成形ドラムの外周面上に巻き付けて、前記帯状部材の後端部の上面を吸引することにより保持し、この吸引保持した状態で前記後端部を前記先端部に当接させて、この帯状部材の吸引保持している位置よりも後端側の上面を押圧することにより前記後端部を前記先端部に押圧して接合することを特徴とする帯状部材の接合方法。
【請求項２】
前記帯状部材が、厚さが幅方向で変化している未加硫ゴムからなるプロファイル部材である請求項１に記載の帯状部材の接合方法。
【請求項３】
前記帯状部材の後端部の吸引保持している位置よりも後端側の上面を、前記成形ドラムのドラム軸芯と平行な中心軸を中心として回転可能なローラにより押圧することにより前記後端部を前記先端部に押圧して接合する請求項１または２に記載の帯状部材の接合方法。
【請求項４】
載置された帯状部材を成形ドラムに向かって搬送する搬送コンベヤと、前記帯状部材の先端部および後端部を前記成形ドラムの外周面上の所定位置に配置する配置機構とを備えた帯状部材の接合装置において、
前記配置機構が、吸引手段と、この吸引手段よりも前記成形ドラムの近くに配置された状態になる先端側押圧部と、この吸引手段よりも前記前記成形ドラムから離れて配置された状態になる後端側押圧部とを備えて、
前記帯状部材の先端部の上面が前記吸引手段より吸引保持されて前記成形ドラムの外周面上の所定位置に配置された状態で、前記先端側押圧部によって前記先端部の上面が押圧されることにより前記先端部が前記所定位置に固定され、前記吸引手段による吸引保持および前記先端側押圧部による押圧が解除された後に、前記成形ドラムが回転することにより前記成形ドラムの外周面上に巻き付けられた前記帯状部材の後端部の上面が、前記吸引手段より吸引保持されて前記成形ドラムの外周面上の前記先端部に当接して配置された状態で、前記後端側押圧部によって前記後端部の上面が押圧されることにより前記後端部が前記先端部に押圧されて接合される構成にしたことを特徴とする帯状部材の接合装置。
【請求項５】
前記吸引手段、前記先端側押圧部および前記後端側押圧部が、一体的に前記成形ドラムに対して近接移動および離反移動する構成にした請求項４に記載の帯状部材の接合装置。
【請求項６】
前記帯状部材の先端部の上面を吸引保持した前記吸引手段が、前記帯状部材を前記成形ドラムに向かって搬送する前記搬送コンベヤの搬送移動に同期して、前記成形ドラムに対して近接移動する構成にした請求項４または５に記載の帯状部材の接合装置。
【発明の詳細な説明】
【技術分野】
【０００１】
本発明は、帯状部材の接合方法および装置に関し、さらに詳しくは、成形ドラムの外周面上で未加硫の帯状部材の長手方向両端部どうしを、ずれを抑制して設定どおりに接合することができる帯状部材の接合方法および装置に関するものである。
【背景技術】
【０００２】
タイヤ等のゴム製品を製造する際には、未加硫ゴム等からなる帯状部材の長手方向両端部どうしを成形ドラムの外周面上で接合して円筒状に成形する工程がある。この工程で使用する接合装置が種々提案されている（例えば、特許文献１参照）。
【０００３】
特許文献１で提案されている接合装置は、送り出しコンベヤと、挟持手段と、押圧部とを備えている。この接合装置では、帯状部材を、その先端部を上下から挟持手段により挟んだ状態にして送り出しコンベヤによって成形ドラムに向かって搬送する。次いで、この先端部を成形ドラムの外周面に設置された吸引パッドにより吸引して成形ドラムに固定する。挟持手段による挟持が解除された帯状部材は、成形ドラムを回転させることにより成形ドラムの外周面に巻き付けられる。次いで、帯状部材を所定長さで切断して、その後端部を上下から挟持手段により挟んだ状態にして押圧部を膨張させることにより、成形ドラム上の先端部に押圧して両端部を接合する。帯状部材の両端部を接合した後に挟持手段による挟持を解除する。
【０００４】
この接合装置では、挟持手段を用いることにより、接合する帯状部材の両端部を所定位置に位置決めし易くなる。しかしながら、挟持手段による挟持を解除する際に、挟持手段と帯状部材との間の摩擦力によって帯状部材がずれることがある。そのため、帯状部材の両端部のずれ（幅方向および長手方向のずれ）を抑制して設定どおりに接合するには改善の余地がある。
【先行技術文献】
【特許文献】
【０００５】
【特許文献１】特開２００８−４９５８９号公報
【発明の概要】
【発明が解決しようとする課題】
【０００６】
本発明の目的は、成形ドラムの外周面上で帯状部材の長手方向両端部どうしを、ずれを抑制して設定どおりに接合することができる帯状部材の接合方法および装置を提供することにある。
【課題を解決するための手段】
【０００７】
上記目的を達成するため本発明の帯状部材の接合方法は、搬送コンベヤに載置されている帯状部材を成形ドラムに向かって搬送し、この成形ドラムの外周面上に前記帯状部材を巻き付けて、その長手方向両端部どうしを接合する帯状部材の接合方法において、前記搬送コンベヤ載置されている前記帯状部材の先端部の上面を吸引することにより保持し、この吸引保持した状態で前記先端部を前記成形ドラムの外周面上の所定位置に設置して、この帯状部材の吸引保持している位置よりも先端側の上面を押圧することにより前記先端部を前記所定位置に固定し、吸引保持を解除した後に前記成形ドラムを回転させることにより前記成形ドラムの外周面上に巻き付けて、前記帯状部材の後端部の上面を吸引することにより保持し、この吸引保持した状態で前記後端部を前記先端部に当接させて、この帯状部材の吸引保持している位置よりも後端側の上面を押圧することにより前記後端部を前記先端部に押圧して接合することを特徴とする。
【０００８】
本発明の帯状部材の接合装置は、載置された帯状部材を成形ドラムに向かって搬送する搬送コンベヤと、前記帯状部材の先端部および後端部を前記成形ドラムの外周面上の所定位置に配置する配置機構とを備えた帯状部材の接合装置において、前記配置機構が、吸引手段と、この吸引手段よりも前記成形ドラムの近くに配置された状態になる先端側押圧部と、この吸引手段よりも前記前記成形ドラムから離れて配置された状態になる後端側押圧部とを備えて、前記帯状部材の先端部の上面が前記吸引手段より吸引保持されて前記成形ドラムの外周面上の所定位置に配置された状態で、前記先端側押圧部によって前記先端部の上面が押圧されることにより前記先端部が前記所定位置に固定され、前記吸引手段による吸引保持および前記先端側押圧部による押圧が解除された後に、前記成形ドラムが回転することにより前記成形ドラムの外周面上に巻き付けられた前記帯状部材の後端部の上面が、前記吸引手段より吸引保持されて前記成形ドラムの外周面上の前記先端部に当接して配置された状態で、前記後端側押圧部によって前記後端部の上面が押圧されることにより前記後端部が前記先端部に押圧されて接合される構成にしたことを特徴とする。
【発明の効果】
【０００９】
本発明によれば、帯状部材の先端部および後端部を成形ドラムの外周面上に位置決めする際に、これら上面を吸引手段によって吸引保持した状態で、先端部の上面を先端側押圧部により押圧し、後端部の上面を後端側押圧部により押圧する。そのため、帯状部材の先端部および後端部を設定どおりの位置に位置決めできる。そして、帯状部材を吸引保持する際および吸引保持を解除する際、押圧する際および押圧解除する際には、帯状部材の位置ずれを生じさせる力が作用し難いので、帯状部材の長手方向両端部どうしを、幅方向および長手方向のずれを抑制して設定どおりに接合するには有利になる。
【図面の簡単な説明】
【００１０】
【図１】本発明の帯状部材の接合装置を側面視で例示する説明図である。
【図２】図１の成形装置を平面視で例示する説明図である。
【図３】帯状部材の先端部を成形ドラムの外周面上の所定位置に設置する工程を側面視で例示する説明図である。
【図４】図３の帯状部材の先端部を成形ドラムの外周面上の所定位置に固定する工程を側面視で例示する説明図である。
【図５】図４の帯状部材を成形ドラムの外周面上に巻き付けている工程を側面視で例示する説明図である。
【図６】図５の帯状部材の後端部を先端部に押圧して接合する工程を側面視で例示する説明図である。
【発明を実施するための形態】
【００１１】
以下、本発明の帯状部材の接合方法および装置を図に示した実施形態に基づいて説明する。
【００１２】
図１、図２に例示する本発明の帯状部材の接合装置１（以下、接合装置１という）は、帯状部材１２の長手方向両端部１２ａ、１２ｂを成形ドラム１１の外周面上で接合して、帯状部材１２を円筒状に成形する。帯状部材１２としては、タイヤのトレッドゴムやサイドゴム等の様々な未加硫ゴム部材、タイヤ等のゴム製品の補強材として使用されるベルト材等を例示できる。ベルト材は、所定のコード角度で並列させた多数のスチールコードを未加硫ゴムで被覆した部材である。
【００１３】
接合装置１は、載置された帯状部材１２を成形ドラム１１に向かって搬送する搬送コンベヤ２と、配置機構３とを備えている。成形ドラム１１はサーボモータ等の駆動源によって回転駆動される。搬送コンベヤ２を構成するコンベヤベルト２ａはサーボモータ等の駆動源によって回転駆動される（載置された帯状部材１２を搬送移動させる）。また、搬送コンベヤ２は幅方向に移動可能に構成されている。
【００１４】
配置機構３は、帯状部材１２の先端部１２ａおよび後端部１２ｂを成形ドラム１１の外周面上の所定位置に配置する。この実施形態では、配置機構３はフレーム４に取付けられていて、吸引手段５と、吸引手段５を挟んで前後それぞれに配置された先端側押圧部６と後端側押圧部７とを備えている。即ち、先端側押圧部６は吸引手段５よりも成形ドラム１１の近くの位置に配置された状態になっていて、後端側押圧部７は吸引手段５よりも成形ドラム１１から離れた位置に配置された状態になっている。
【００１５】
この実施形態では、配置機構３にはフレーム４に取付けられたコンベヤベルト連結部８も設けられている。また、搬送コンベヤ１２の先端上方に配置された位置センサ９と、制御部１０とを備えている。位置センサ９は、例えばＣＣＤカメラ等により構成される。
【００１６】
吸引手段５としては、下端部に吸引パッド５ａを有するエアシリンダ等の流体シリンダやサーボモータで進退移動するロッド等を用いることができる。吸引パッド５ａは搬送コンベヤ２（コンベヤベルト２ａ）の上面に対して近接および離反する方向に移動する。吸引パッド５ａを移動させるロッド等に対して、吸引バッド５ａを上下方向に回転可能に取付けることもできる。
【００１７】
先端側押圧部６、後端側押圧部７としてはそれぞれ、下端部に押圧体６ａ、７ａを有するエアシリンダ等の流体シリンダやサーボモータで進退移動するロッド等を用いることができる。押圧体６ａ、７ａは搬送コンベヤ２の上面に対して近接および離反する方向に移動する。
【００１８】
先端側押圧部６と後端側押圧部７とは同じ仕様にすることも異なる仕様にすることもできる。押圧体６ａの下面には例えば、平面状の弾性材を用いる。押圧体６ａが平面状の場合は、この実施形態のように、押圧体６ａを移動させるロッド等に対して押圧体６ａを上下方向に回転可能に取付けるとよい。押圧体７ａは例えば、成形ドラム１１のドラム軸芯と平行な中心軸を中心として回転可能なローラにする。
【００１９】
コンベヤベルト連結部８としては、下端部にコンベヤベルト２ａを把持する把持アーム８ａを有するエアシリンダ等の流体シリンダやサーボモータで進退移動するロッド等を用いることができる。
【００２０】
吸引手段５、先端側押圧部６、後端側押圧部７およびコンベヤベルト連結部８は、フレーム４が成形ドラム１１に対して近接および離反移動することで、一体的に近接および離反移動する。フレーム４は、流体シリンダやサーボモータで進退移動するロッド等を用いて移動させる。搬送コンベヤ２、フレーム４、吸引手段５、先端側押圧部６、後端側押圧部７、コンベヤベルト連結部８、成形ドラム１１の動きは制御部１０によって制御される。制御部１０には、位置センサ９による検知データが入力される。位置センサ９による検知データに基づいて搬送コンベヤ２は幅方向に移動する。
【００２１】
次に、接合装置１を用いて帯状部材１２の先端部１２ａと後端部１２ｂとを接合する手順の一例を説明する。
【００２２】
図１、図２に例示するように、搬送コンベヤ２を回転駆動することにより、前工程から帯状部材１２が搬送される。そして、停止している搬送コンベヤ２に載置されている帯状部材１２に対して、吸引手段５の吸引パッド５ａを下方移動させて帯状部材１２の先端部１２ａの上面を吸引する。また、コンベヤベルト連結部８の把持アーム８ａを下方移動させてコンベヤベルトのキャリア側（上側）を把持する。押圧体６ａ、７ａは帯状部材１２の上面に当接しない待機位置に維持する。
【００２３】
次いで、図３に例示するように、フレーム４を水平移動させて成形ドラム１１に近接移動させる。フレーム４とコンベヤベルト２ａとはコンベヤベルト連結部８を介して連結されているので、コンベヤベルト２ａが回転駆動されて、帯状部材１２は搬送コンベヤ２によって成形ドラム１１に向かって搬送される。これにより、帯状部材１２はその先端部１２ａが吸引手段５により吸引保持された状態で成形ドラム１１に近接移動する。
【００２４】
即ち、吸引手段５の移動に同期して（同じ方向および同じ速度）、コンベヤベルト２ａによって帯状部材１２が搬送されるので、帯状部材１２に引張り力が作用することがなく不用意に伸びることを防止できる。コンベヤベルト連結部８を設けずに、吸引手段５の移動に同期させて、コンベヤベルト２ａによって帯状部材１２を搬送する構成にすることもできる。
【００２５】
次いで、図４に例示するように、停止している成形ドラム１１の外周面の所定位置の上方に帯状部材１２の先端部１２ａを位置決めした後、吸引パッド５ａを下方移動させて先端部１２ａを成形ドラム１１の外周面上の所定位置に設置する。そして、押圧体６ａを下方移動させて、帯状部材１２の吸引保持されている位置よりも先端側の上面を先端側押圧部６により押圧する。この押圧によって先端部１２ａを成形ドラム１１の外周面上の所定位置に固定する。成形ドラム１１の外周面上の所定位置に吸引部を設けて、この吸引部によって先端部１２ａの下面を吸引して、先端部１２ａのずれを一段と発生させ難くすることもできる。
【００２６】
押圧体６ａの押圧に起因して先端部１２ａがずれることをより防止するために、先端部１２ａの上面に当接させた押圧体６ａは、成形ドラム１１の半径方向内周側に移動させるが、この上面を押圧する圧力を過大にしない。そこで、押圧体６ａが平板状場合は、その幅寸法を帯状ゴム部材１２の幅寸法以上にして、その長手方向寸法を、これから接合する先端部１２ａと後端部１２ｂとのオーバラップ長さ以上にして、押圧体６ａにより押圧する際の圧力を小さくするとよい。
【００２７】
押圧体６ａがローラの場合は、成形ドラム１１の半径方向内周側に移動させて周方向に転動させるだけにする。即ち、押圧体６ａによって先端部１２ａの上面を扱くことはしない。尚、押圧体６ａとして膨張収縮する膨張体を用いた場合、先端部１２ａの上面に当接した状態で膨張体が膨張すると、先端部１２ａを形成している未加硫ゴムが膨張体とともに幅方向および周方向に移動してずれが発生し易くなる。そのため、押圧体６ａには、膨張収縮する膨張体を採用せずに非膨張体にするとよい。
【００２８】
先端部１２ａを固定する成形ドラム１１の外周面上での所定位置は、ドラム周方向で言えば、成形ドラム１１の頂部にするよい。これにより、先端部１２ａをより精度よく安定して位置決めして固定し易くなる。
【００２９】
次いで、帯状部材１２に対する吸引手段５による吸引保持を解除して、吸引パッド５ａおよび押圧体６ａを、帯状部材１２に当接しない待機位置に上方移動させる。フレーム４は成形ドラム１１から離反する方向に水平移動させて待機位置に戻す。
【００３０】
本発明ではこのように、帯状部材１２の上面を吸引手段５によって吸引保持した状態で、先端部１２ａの上面を先端側押圧部６により押圧するので、先端部１２ａを設定どおりに所定位置に位置決めして固定できる。そして、帯状部材１２を吸引保持する際および吸引保持を解除する際に、帯状部材１２を幅方向および長手方向にずらす力は実質的に作用しない。
【００３１】
次いで、成形ドラム１１を回転させることにより帯状部材１２を成形ドラム１１の外周面上に巻き付ける。この際に、搬送コンベヤ２による帯状部材１２の搬送速度を成形ドラム１１の回転による巻き付け速度と同じにして、帯状部材１２に不用意な伸びが発生しないようにする。また、この際には、位置センサ９による検知データに基づいて搬送コンベヤ１１を幅方向に移動させて、帯状部材１２を成形ドラム１１に対してセンタリングする。
【００３２】
帯状部材１２の多くの部分を成形ドラム１１の外周面上に巻き付けた後は、成形ドラム１１を停止させる。次いで、停止している搬送コンベヤ２に載置されている帯状部材１２の後端部１２ｂに対して、吸引手段５の吸引パッド５ａを下方移動させて後端部１２ｂの上面を吸引する。また、コンベヤベルト連結部８の把持アーム８ａを下方移動させてコンベヤベルトのキャリア側（上側）を把持する。押圧体６ａ、７ａは帯状部材１２の上面に当接しない待機位置に維持する。
【００３３】
次いで、図５に例示するように、フレーム４を水平移動させて成形ドラム１１に近接移動させる。フレーム４とコンベヤベルト２ａとはコンベヤベルト連結部８を介して連結されているので、コンベヤベルト２ａが回転駆動されて、帯状部材１２は搬送コンベヤ２によって成形ドラム１１に向かって搬送される。これにより、帯状部材１２はその後端部１２ｂが吸引手段５により吸引保持された状態で成形ドラム１１に近接移動する。
【００３４】
次いで、停止している成形ドラム１１の外周面の所定位置の上方に帯状部材１２の後端部１２ｂを位置決めする。その後、図６に例示するように、吸引パッド５ａを下方移動させて後端部１２ｂを成形ドラム１１の外周面上に巻き付けられている先端部１２ａに当接させる。そして、押圧体７ａを下方移動させて、帯状部材１２の吸引保持されている位置よりも後端側の上面を後端側押圧部７により押圧する。これより、後端部１２ｂを先端部１２ａに押圧して両者を接合する。
【００３５】
押圧体７ａの押圧に起因して後端部１２ｂがずれることをより防止するために、後端部１２ｂの上面に当接させた押圧体７ａは、成形ドラム１１の半径方向内側に移動させるが、この上面を押圧する圧力を過大にしない。そこで、押圧体７ａが平板状場合は、その幅寸法を帯状ゴム部材１２の幅寸法以上にして、その長手方向寸法を先端部１２ａと後端部１２ｂとのオーバラップ長さ以上にして、先端部１２ａと後端部１２ｂの接合範囲の全範囲を押圧部７ａで覆って、押圧体７ａによって押圧する際の圧力を小さくするとよい。
【００３６】
押圧体７ａがローラの場合は、成形ドラム１１の半径方向内周側に移動させて周方向に転動させるだけにする。即ち、押圧体７ａによって後端部１２ｂの上面を扱くことはしない。尚、押圧体７ａとして膨張収縮する膨張体を用いた場合、後端部１２ｂの上面に当接した状態で膨張体が膨張すると、後端部１２ｂを形成している未加硫ゴムが膨張体とともに幅方向および周方向に移動してずれが発生し易くなる。そのため、押圧体７ａには、膨張収縮する膨張体を採用せずに非膨張体にするとよい。
【００３７】
後端部１２ｂを接合する際の先端部１２ａの成形ドラム１１の外周面上での周方向位置は、成形ドラム１１の頂部が好ましいが、先端部１２ａを成形ドラム１１の頂部に設定するのは手間を要する。そこで、この実施形態のように押圧体７ａをローラにしておくと、先端部１２ａの成形ドラム１１の外周面上の周方向位置にかかわらず、後端部１２ｂを先端部１２ａに対してより精度よく安定して圧着して接合し易くなる。
【００３８】
次いで、帯状部材１２に対する吸引手段５による吸引保持を解除して、吸引パッド５ａおよび押圧体７ａを、帯状部材１２に当接しない待機位置に上方移動させる。本発明ではこのように、帯状部材１２の上面を吸引手段５によって吸引保持した状態で、後端部１２ｂの上面を後端側押圧部７により押圧するので、後端部１２ｂを設定どおりに先端部１２ａに位置決めして接合できる。そして、帯状部材１２を吸引保持する際および吸引保持を解除する際に帯状部材１２を幅方向および長手方向にずらす力は実質的に作用しない。
【００３９】
上述したように本発明によれば、先端部１２ａおよび後端部１２ｂを成形ドラム１１の外周面上の設定どおりの位置に位置決めできる。また、帯状部材１２を吸引保持する際および吸引保持を解除する際、押圧する際および押圧解除する際には、帯状部材１２を幅方向および長手方向にずらす力が実質的に作用しない。それ故、帯状部材１２の長手方向両端部１２ａ、１２ｂどうしを、幅方向および長手方向のずれを抑制して設定どおりに接合するには有利になっている。
【００４０】
タイヤのサイドゴム等の厚さが幅方向で変化している未加硫ゴムからなるプロファイル部材は、その押出工程において厚さが大きい部分は未加硫ゴムの流速が相対的に早く、厚さが小さい部分は未加硫ゴムの流速が相対的に遅くなる。これに伴って、それぞれの部分では残留ひずみの大きさが異なる。これに起因してプロファイル部材の長手方向両端部を接合した部分の開きが発生し易くなる。そのため、この接合した部分をずれなく精度よく接合して強固に接合する必要性が高い。したがって、厚さが幅方向で変化している未加硫ゴムからなるプロファイル部材を、本発明が対象とする帯状部材１２とすると好適である。
【符号の説明】
【００４１】
１  接合装置
２  搬送コンベヤ
２ａ  コンベヤベルト
３  配置機構
４  フレーム
５  吸引手段
５ａ  吸引パッド
６  先端側押圧部
６ａ  押圧体
７  後端側押圧部
７ａ  押圧体
８  コンベヤベルト連結部
８ａ  把持アーム
９  位置センサ
１０  制御部
１１  成形ドラム
１２  帯状部材
１２ａ  先端部
１２ｂ  後端部
【図１】
2017213702.tif 000003
【図２】
2017213702.tif 000004
【図３】
2017213702.tif 000005
【図４】
2017213702.tif 000006
【図５】
2017213702.tif 000007
【図６】
2017213702.tif 000008